(57)【特許請求の範囲】
【請求項１】
錠箱内においてフロント板に垂直な前後方向に移動可能に案内され、錠箱から突出する前方に付勢されたデッドボルトと、このデッドボルトにおいて前後方向に沿って形成されたラック歯列と、デッドボルトの近傍において回動可能に支承され、上記ラック歯列と噛み合う制御歯車と、この制御歯車に一体に結合され、制御歯車の半径方向に延伸した係止レバーと、錠箱内のフロント板付近において、基端を支軸により回動自在に軸支され、一端に装着された第一永久磁石がフロント板内面に近接する方向に付勢されたトリガー体と、錠箱の厚さ方向において上記トリガー体と重合する状態で配設されると共に、中央部を上記トリガー体の支軸と同じ支軸により回動可能に支承され、デッドボルトが錠箱内に引っ込んだ解放状態時、一端を係止レバーの先端に係合させてデッドボルトを解放位置に係止すると共に、他端をトリガー体に臨ませたストッパーと、閉扉時上記第一永久磁石と整合する扉枠の部位に装着され、第一永久磁石と同磁極でこれに対峙する第二永久磁石と、全体の形状が細長い板状体で、一端を、錠箱内において回動可能に支承されると共に、扉に装着されたノブ等の外部操作部材に連結され、他端部を前方からデッドボルトに係合可能に臨ませたリトラクタとを有し、解放状態時上記ストッパーの他端部とトリガー体との間に間隙を形成し、以て、閉扉時第一及び第二永久磁石の間に作用する磁気反発力により第一永久磁石がストッパーの他端に係合するとき、第一永久磁石がストッパーと独立に、すなわち、摩擦係合を介して係止レバーに係留されたストッパーの負荷が無い状態で空走し、充分に速度が得られた状態でストッパーに衝撃的に係合するようにしたことを特徴とする錠止装置。
【発明の詳細な説明】
【０００１】
【発明の属する技術分野】
本発明は、錠止装置に係わり、特に、閉扉時確実に扉を扉枠に錠止できる錠止装置に関する。
【０００２】
【従来の技術】
いわゆる自動施錠の錠前においては、扉を扉枠に錠止するいわゆるデッドボルトの頭部にラッチボルト様の斜面を形成し、閉扉時この斜面と扉枠に装着されたストライクとの間に生じる楔作用を利用してデッドボルトを錠箱内に押し込み、閉扉完了時デッドボルトに整合するストライクのデッドボルト投入孔に、ばねの力でデッドボルトを投入するようにしている。
【０００３】
【発明が解決しようとする課題】
ところで、扉の立て付けの具合やクローザの作動の不具合により、ストライクが完全にデッドボルトを錠箱内に押し込めないことがある。この場合、施錠されないことは言うまでもない。
【０００４】
通常、自動施錠の錠前の場合は、施錠は錠前が行なうものと信頼して施錠を確認しないで扉口から外出するから、かかる施錠の失敗は自動施錠の錠前として致命的な不都合である。
【０００５】
そこで、本発明者等は、特願平３−１９４３７１号をもって、錠箱内に収納され、外方に突出するように付勢されたデッドボルトの係止を、永久磁石の磁気反発力を利用したトリガー装置により解放してストライクに投入するようにした錠止装置を提案した。
【０００６】
この錠止装置は、錠箱内においてフロント板に垂直な前後方向に移動可能に案内され、錠箱から突出する前方に付勢されたデッドボルトと、このデッドボルトにおいて前後方向に沿って形成されたラック歯列と、デッドボルトの近傍において回動可能に支承され、上記ラック歯列と噛み合う制御歯車と、この制御歯車に一体に結合され、制御歯車の半径方向に延伸した係止レバーと、中央部を錠箱内のフロント板近傍において回動可能に支承され、デッドボルトが錠箱内に引っ込んだ解放状態時、一端に装着された第一永久磁石をフロント板内面に近接させ、他端を係止レバーの先端に係合させてデッドボルトを解放位置に係止すると共に、上記第一永久磁石がフロント板に近接する方向に付勢されたトリガー体と、閉扉時上記第一永久磁石と整合する扉枠の部位に装着され、第一永久磁石と同磁極でこれに対峙する第二永久磁石と、全体の形状が細長い板状体で、一端を、錠箱内において回動可能に支承されると共に、扉に装着されたノブ等の外部操作部材に連結され、他端部を前方からデッドボルトに係合可能に臨ませたリトラクタとを有することを特徴とするものである。
【０００７】
上記した構造の錠止装置は、充分にその機能を発揮して実用されているが、トリガー体が係止レバーを解放するとき、係止レバーの先端とトリガー体との係合部における静摩擦の為、磁気反発力による作動力がその分減少する。
【０００８】
良く知られているように、物体が移動するときの加速度は駆動力を質量で除したものである。
【０００９】
この駆動力が上記静摩擦の為に減少すると、その分加速度が減少するので、確実にトリガー体を作動させるためには少し余裕を持たせた磁気反発力を設定しなければならない。
【００１０】
これは必要以上に大きな永久磁石を用いなければならないということを意味し、つまりは上記した錠止装置は未だ改良の余地がある。
【００１１】
この発明は、小さな永久磁石でもトリガー体が確実に作動する錠止装置を提供し、もって上記した不都合を解消することを目的としている。
【００１２】
【課題を解決するための手段】
上記の目的を達成するため、請求項１に記載の発明は、錠箱内においてフロント板に垂直な前後方向に移動可能に案内され、錠箱から突出する前方に付勢されたデッドボルトと、このデッドボルトにおいて前後方向に沿って形成されたラック歯列と、デッドボルトの近傍において回動可能に支承され、上記ラック歯列と噛み合う制御歯車と、この制御歯車に一体に結合され、制御歯車の半径方向に延伸した係止レバーと、錠箱内のフロント板付近において、基端を支軸により回動自在に軸支され、一端に装着された第一永久磁石がフロント板内面に近接する方向に付勢されたトリガー体と、錠箱の厚さ方向において上記トリガー体と重合する状態で配設されると共に、中央部を上記トリガー体の支軸と同じ支軸により回動可能に支承され、デッドボルトが錠箱内に引っ込んだ解放状態時、一端を係止レバーの先端に係合させてデッドボルトを解放位置に係止すると共に、他端をトリガー体に臨ませたストッパーと、閉扉時上記第一永久磁石と整合する扉枠の部位に装着され、第一永久磁石と同磁極でこれに対峙する第二永久磁石と、全体の形状が細長い板状体で、一端を、錠箱内において回動可能に支承されると共に、扉に装着されたノブ等の外部操作部材に連結され、他端部を前方からデッドボルトに係合可能に臨ませたリトラクタとを有し、解放状態時上記ストッパーの他端部とトリガー体との間に間隙を形成し、以て、閉扉時第一及び第二永久磁石の間に作用する磁気反発力により第一永久磁石がストッパーの他端に係合するとき、第一永久磁石がストッパーと独立に、すなわち、摩擦係合を介して係止レバーに係留されたストッパーの負荷が無い状態で空走し、充分に速度が得られた状態でストッパーに衝撃的に係合するようにしたことを特徴とする。
【００１３】
【発明の実施の形態】
以下本発明の実施例を図面を参照して説明する。
図１において符号１はデッドボルトの全体を示し、図示の実施例におけるデッドボルト１は、錠箱２内においてフロント板３に垂直な前後方向（図１で左右方向）に移動可能に案内されている。
【００１４】
図示の実施例におけるデッドボルト１は、図２及び図３に示すように、前端部（図で左端部）を横断面Ｌ字型に折曲げた板状のデッドボード４の前端に、断面が矩形のデッドブロックを例えばねじ止めし、このデッドブロック５の後端面に開口した孔にガイド棒６の前端を嵌合させ、ガイド棒６の後端部はデッドボード４の後端折曲げ部にかしめ付けられている。
【００１５】
なお、上記ガイド棒６には、圧縮コイルばねとしてのデッドばね７が巻装されている。また、上記デッドブロック５の前端部には、後述するデッドボルト投入孔へのデッドボルトの投入を円滑にするため、鉛直な回動軸を有するデッドローラ８が回動自在に装着されている。
【００１６】
上記のように構成されたデッドボルト１は、図１に示すように、フロント板３に開口した矩形の孔と、錠箱２の側板に固設され、上記ガイド棒６（図１及び図２参照）と摺動可能に嵌合した断面コ字形の案内片９によって前後方向に移動可能に案内されている。
【００１７】
なお、ここではデッドボルトが錠箱内に引っ込んで扉が自由になっている状態を解放状態、デッドボルトがストライクのデッドボルト投入孔に投入されている状態を拘束状態と呼ぶことにする。
【００１８】
そして、案内片９とデッドブロック５との間におけるガイド棒６に巻装されたデッドばね７の弾力により、デッドボルト１はフロント板３から突出する方向の前方（図１で左方）に付勢されている。
【００１９】
なお、上記ガイド棒６と案内片９とを嵌合させるには、例えばデッドボード４からデッドブロック５を取り外した状態でガイド棒６と案内片９とをかん合させ、上記デッドばね７を案内片９とデッドブロック５との間におけるガイド棒６に巻装するようにして、デッドブロック５をデッドボード４に結合した後、案内片９を錠箱２の側板にかしめ付ける。
【００２０】
上記デッドボルト１のデッドボード４の下端折曲げ部には、図２及び図３において明示されているように、矩形の孔の列設という態様で、前後方向に沿ってラック歯列１１が形成されている。
【００２１】
このラック歯列１１に対応して、図１に示すように、デッドボルト１の近傍における錠箱側板に制御歯車１２が回動自在に軸支されている。なお、図１に示された制御歯車１２はセクター歯車となっているが、制御歯車をセクター歯車状に形成することは本発明の必須の構成要件ではない。
【００２２】
この制御歯車１２には係止レバー１３が一体に結合されている。図１に示す係止レバー１３はセクター歯車状の制御歯車１２に一体に形成されたラチェット歯車の一部をなす形状であるが、これは制御歯車１２に一体的に結合され、その半径方向に延伸する細長い板状体であれば足り、図示のもののようにラチェット歯車の一部をなす必要はない。
【００２３】
一方、図１に示す実施例では、錠箱２の前下隅部にトリガー体１４とストッパー４０とが紙面方向において重合する状態で配設されている。
【００２４】
図示の実施例におけるトリガー体１４は、横断面がコ字形になるように折曲された枠体で、基端部（図１で下端部）を回動可能に軸支されており、その自由端には第一永久磁石１５が装着されている。
【００２５】
また、トリガー体１４は、トリガーばね１６の弾力により、図１で反時計方向、即ち、上記第一永久磁石１５がフロント板３に近接する方向に付勢されている。
【００２６】
他方、上記ストッパー４０は、図４に示すように、図１のトリガー体１４の裏側にトリガー体と同じ支軸により回動自在に軸支された、全体の形状が略乙字形のレバー体である。
【００２７】
このストッパー４０はストッパーばね４１の弾力により、上記トリガー体１４と同じ方向、すなわち反時計方向に付勢されており、ストッパー４０に外力が作用しない通常の状態においては、その外端４０ａがフロント板３の内面に弾接してその角度位置が規制されている。
【００２８】
また、図１に示す解放状態においては、ストッパー４０のＬ字形に折り曲げられた内端４０ｂは、上記係止レバー１３の先端に後方から係合している。
【００２９】
そのため、デッドばね７の弾力により前方に付勢されたデッドボルト１のラック歯列１１と噛み合っている制御歯車１２は、図１で反時計方向に回転しようとするが、制御歯車１２と一体の係止レバー１３の先端がストッパー４０の内端４０ｂに係止され、デッドボルト１は図１に示す解放位置を安定に保つ。
【００３０】
更にまた、ストッパー４０の外端部は図１及び図４において手前側に折り曲げられ、上記第一永久磁石１５の移動軌跡内に延在する係合片４０ｃが形成されている。
【００３１】
そして、図１に示す解放状態においては、この係合片４０ｃと第一永久磁石１５との間に例えば１ｍｍ（ミリメートル）程度の間隙ｇが形成されている。
【００３２】
他方、図５に示すように、扉枠側に装着されたストライク１７の、閉扉時上記第一永久磁石１５と整合する部位には、第一永久磁石１５のフロント板３側の磁極と同磁極となる磁極を第一永久磁石に向けてこれと対峙する第二永久磁石１８が装着されている。
【００３３】
上記のように構成された請求項１に記載の発明による錠止装置は、開扉時にはデッドボルト５が錠箱２内に引っ込んでおり、閉扉すると自動的にデッドボルト５が錠箱２から突出してストライク１７のデッドボルト投入口に投入される。
【００３４】
即ち、開扉時錠箱から引っ込んだ状態にあるデッドボルトは、その付勢力により錠箱のフロント板３から突出しようとするが、その付勢力はラック歯列１１と制御歯車１２との噛み合いにより、係止レバー１３を反時計方向に回転させる方向に変換される。
【００３５】
しかしながら、この係止レバー１３の先端はストッパーの内端４０ｂに係止されているので、デッドボルト５は制御歯車１２及び係止レバー１３を介してストッパー４０に係止されることになり、デッドボルト５が錠箱２内に引っ込んだ解放状態が安定に保たれる。
【００３６】
上記のようにデッドボルト５が錠箱２内に引っ込んだ状態で扉が閉まるに際しては、デッドボルト５と扉枠のストライク１７との干渉は生じないので、建て付けが少しぐらい悪くても、また、クローザに不具合があっても、扉は完全に閉じる。
【００３７】
扉が完全に閉じられると、トリガー体１４の第一永久磁石１５と扉枠側の第二永久磁石１８とが相互に同磁極で対峙することになる。
【００３８】
その結果、第一及び第二永久磁石１５及び１８は相互に磁気反発力を受け、扉枠側に固定された第二永久磁石は動かないが、トリガー体１４の一端に装着された第一永久磁石１５がトリガーばね１６の付勢力に抗してフロント板３から離間する方向に移動する。
【００３９】
その為、トリガー体１４は負荷が無い状態で時計方向に傾動し、図示の実施例では、やがてこれと一体の第一永久磁石１５がストッパーの係合片４０ｃに衝撃的に係合する。
【００４０】
すると、トリガー体１４に蹴り飛ばされるようにしてストッパー４０が時計方向に傾動する結果、図５に示すように、相互に連結された係止レバー１３、制御歯車１２及びデッドボルト５が解放され、デッドボルト５がが拘束位置に突出して、その先端が付勢力によりストライク板１７に開口したデッドボルト投入孔に自動的に投入される。
【００４１】
図１に戻って、錠箱２内にはデッドボルト１の後端部と重合するようにして全体の形状が細長い板状のリトラクタ１９が配設されている。このリトラクタ１９の一端（図１で下端）は錠箱２の側板に回動自在に支承されている。
【００４２】
また、リトラクタ１９の一端の中心には例えば方形の異形孔が開口しており、この異形孔を挿通して錠箱２及び図示しない扉を厚さ方向に貫通する図示しない操作軸を介して、扉の内外面に装着されたノブ等の外部操作部材に連結されている。
【００４３】
リトラクタ１９の他端部（自由端部）は、前記デッドボルト１と錠箱２の側板との間をくぐり抜けるようにしてデッドボルトの上部に突出すると共に、デッドボルト１の後端折曲げ部（図２参照）に係合可能に臨んでいる。
【００４４】
また、リトラクタ１９はリトラクタばね２１の弾力により図１で反時計方向に付勢されているが、リトラクタに外力が作用しない常態においては、リトラクタ１９の一端に突設された係止片２２が錠箱の側板に植設されたストッパ２３に係止されて図示の角度位置を保つ。
【００４５】
このリトラクタ１９の機能は、拘束位置に突出したデッドボルト１（図４参照）を図１に示す解放位置に復帰させることにある。
【００４６】
即ち、図５に示すように、閉扉してデッドボルト１が自動的にデッドボルト投入孔１９に投入されたとき、リトラクタ１９の他端部が相対的にデッドボルト１の後端折曲げ部に近接する。
【００４７】
そこでノブ等を回してリトラクタ１９を図５で時計方向に回動させると、リトラクタ１９の他端部がデッドボルト１の後端折曲げ部を押動してデッドボルト１を錠箱内に押し戻す。
【００４８】
そのとき前記ラック歯列１１と制御歯車１２との噛み合い係合により、係止レバー１３が時計方向に回動し、図１に示す角度位置に復帰する。
【００４９】
図１に戻って、デッドボルト１の上方における近傍には、ほぼ前後方向に延在し、中央部を揺動可能に支承された細長い板状のロッキングバー２４が配設されている。
【００５０】
このロッキングバー２４は拘束位置にまで突出したデッドボルト１を固定して施錠するために設けられるもので、このロッキングバー２４及びこれを固定するための施錠機構２５は従来公知であるから簡単に説明する。
【００５１】
ロッキングバー２４の前端部は、通常、２枚の同形の板材を例えばスポット溶接するなどして一体に結合して剛性を増大させており、又後端部は、例えば断面コ字型に折曲げられ、この折曲げ部に係止溝２６（図１参照）が形成されている。
【００５２】
一方、このロッキングバー２４より後方における錠箱２内には、全体の形状が略くの字形の施錠レバー２７が配設されており、この施錠レバー２７の中央部が錠箱側板に揺動可能に支承されている。
【００５３】
上記施錠レバー２７の上端はいわゆるダルマアセンブリー２８を介して図示しないシリンダ錠に、又、上端部は電気錠の電磁アクチュエータとしてのソレノイド２９の出力軸にそれぞれ連結されている。
【００５４】
また、施錠レバー２７の下方の自由端部は、ロッキングバー２４の後端に植設されたロッキングピン３１に下方から係合している。
【００５５】
そのため、閉扉してデッドボルト１が自動的に拘束位置に突出した後、電気錠の電磁アクチュエータが施錠信号に応動して、図５に示す状態からソレノイド２９の出力軸が右方に移動する。
【００５６】
すると、施錠レバー２７が時計方向に回動し、その下方の自由端がロッキングピン３１を押し上げる結果、ロッキングバー２４は反時計方向に回動し、図５において鎖線で示すように、その前端がデッドボルト１の前方に形成された段部３２に係合可能に臨む。この状態ではデッドボルト１を引っ込めることはできず、従ってこの錠前は施錠されたことになる。
【００５７】
なお、この施錠状態においては、図５から明らかなように、リトラクタ１９の他端に植設されたリトラクタピン３３が前記ロッキングバー２４の係止溝２６に係入するので、リトラクタ１９を回動させることはできない。これはシリンダ錠によってダルマアセンブリー２８を介して施錠レバー２７を時計方向に回動させたときも同様である。
【００５８】
なお、図示の実施例におけるロッキングバー２４は捩りコイルばねの弾力によって常時時計方向に付勢され、施錠レバー２７が解錠方向、即ち反時計方向に回動したとき、ばねの弾力によってその施錠レバー２７の動きに追従するように構成されているが、これは、施錠レバー２７の下方の自由端部に長孔又は長溝を形成しこれをロッキングピン３１と係合せればばねは必要ないことは言うまでもない。
【００５９】
図７はこの発明の変形実施例を示し、この実施例は、フロント板３の内面に設けられた案内ケース４２によりトリガー体１４及び第一永久磁石１５を前後方向に直線動するように案内したものである。
【００６０】
図７に示す実施例においては、ストッパーの外端４０ａは案内ケース４２の後面に弾接されてストッパー４０の角度位置を保っている。
【００６１】
なお、図７において図１乃至図５と等符号を付した部分は相互に均等な部分を示す。図７からこの変形実施例の構成及び機能は明らかであるから、更に詳細な説明は省略する。
【００６２】
【発明の効果】
以上の説明から明らかなように、請求項１に記載の発明は、フロント板に垂直な前後方向に移動可能に案内され、フロント板から突出する前方に付勢されたデッドボルトに前後方向に沿ってラック歯列を形成し、このラック歯列と噛み合う制御歯車にその半径方向に延伸する係止レバーを一体に結合し、一方、錠箱内のフロント板の近傍に中央部を揺動自在に支承されたストッパーを設け、その一端を係止レバーの先端に係合させるようにし、一方、前後方向に移動可能に案内され、一端に装着された第一永久磁石がフロント板内面に近接する方向に付勢されたトリガー体を設け、他方、閉扉時第一永久磁石と整合する扉枠の部位に、第一永久磁石と同磁極で対峙する第二永久磁石を設けたので、扉が閉止するまでデッドボルトを錠箱内に引っ込んだままにしておくことができる。
【００６３】
そのため、扉の建て付けやクローザの作動に多少の不具合があっても、確実に扉を閉止することができる。
【００６４】
また、第一及び第二永久磁石間に作用する磁気反発力によりストッパーと係合する方向に駆動されるトリガー体とストッパーとの間に、解放状態時間隙を形成するようにしたので、トリガー体に作用する磁気反発力が小さくてもトリガー体の始動が容易に行われる。
【００６５】
デッドボルトがデッドボルト投入孔に投入された拘束状態は、ノブ等の外部操作部材に連結されたリトラクタの回動により簡単に解放状態に変換することができる。
【図面の簡単な説明】
【図１】請求項１に記載の発明による錠止装置の一部断面側面図。
【図２】デッドボルトの平面図。
【図３】デッドボルトの側面図。
【図４】この発明の要部を示すストッパーの側面図。
【図５】図１と同様の錠止装置の一部断面側面図で、デッドボルトが錠箱外に突出した拘束状態を示す。
【図６】扉枠に装着されたストライクの正面図。
【図７】この発明の変形実施例を示す図４と同様のストッパー部の要部側面図。
【符号の説明】
１  デッドボルト
２  錠箱
３  フロント板
７  デッドばね
１１  ラック歯列
１２  制御歯車
１３  係止レバー
１４  トリガー体
１５  第一永久磁石
１６  トリガーばね
１７  ストライク
１８  第二永久磁石
１９  トリラクタ
２４  ロッキングバー
２５  施錠機構
４０  ストッパー
４１  ストッパーばね
【図１】
0004171092.tif 000002
【図２】
0004171092.tif 000003
【図３】
0004171092.tif 000004
【図４】
0004171092.tif 000005
【図５】
0004171092.tif 000006
【図６】
0004171092.tif 000007
【図７】
0004171092.tif 000008